(57)【特許請求の範囲】
【請求項１】
内面側に空部を有する扉の内面側に装着して利用するレバーロッド押さえ具を、先端付近にレバーロッド貫通孔が穿設された押さえプレートと、該押さえプレートを装着固定する扉の空部の幅より短い長さの受け具とに分割し、
押さえプレートには、受け具先端開口幅より細い本体部分と、反対側端部に受け具先端開口幅より広い飛び出し防止幅広部を形成すると共に本体部分にレバーロッド貫通孔とプレート装着部を形成し、
他方、受け具には、扉取付面側が幅広で、レーバーロッド側が幅狭く形成された基面に押さえプレート装着部と、該基面を覆うように中央切欠の左右脱落防止片を形成し、該中央切欠を押さえプレートの差し入れ可能な大きさとしたことを特徴とする分割式レバーロッド押さえ具。
【請求項２】
押さえプレートの装着が受け具に形成された穴と、押さえプレートに形成された複数の穴の何れか一つの穴とをビス止めしたものである請求項１記載の分割式レバーロッド押さえ具。
【発明の詳細な説明】
【０００１】
【発明の属する技術分野】
本発明は、配電盤、分電盤、制御盤等の電気機器設置箱体の扉のレバーロッド押さえ具に関するもので、詳しくは、扉内面に組み込まれたレバーロッドと箱本体側上下に装着された受け具にて扉と本体に隙間が生じないように閉止固定する扉のロック装置に利用されるもので、扉側に取り付けられるレバーロッド押さえ具の改良に関するものである。
【０００２】
【従来の技術】
従来より、配電盤等に用いられる扉のロック装置は、図６（Ａ）の概略断面図及び図６（Ｂ）の扉の概略内面図に示されるように、扉１の外面に設置されたハンドル２で操作する扉１の内面に組み込まれたレバー３から上下に伸ばしたレバーロッド４と箱本体５の上下に設けられたロック部６により扉１を箱本体５に閉止固定する扉ロック装置は存在した。
【０００３】
配電盤等の電気機器設置用箱体は、板金製作時及び塗装加工時等には扉１と箱本体５が別々に取り扱われる。しかし、かような扉１のロック装置においては、扉１側の上下にレバーロッド４の押さえ具７を設ける必要があった。この押さえ具７は、図６（Ａ）にも現れるように箱本体５側に突出する必要がある。従来、この押さえ具７は一体式のものであるので、板金製作や塗装加工のため扉を並べておくと、押さえ具７が扉１の正面にぶつかることがあり、傷の原因となっていた。
【０００４】
【発明が解決しようとする課題】
そこで本発明は、レバーロッド４の押さえ具７を分割し、組み立て以前の板金製作時や塗装加工時には押さえ具７の長さが、扉１の厚さ間隔より小さく、扉１内面の空間に収まり、他の扉１に当たることもなく、扉１を重ねた状態にしておくことができるレバーロッド押さえ具７を提供することを目的とする。
【０００５】
【課題を解決するための手段】
第１の発明は、上記課題を解決するため、レバーロッド押さえ具に次の手段を採用する。
第１に、内面側に空部を有する扉の内面側に装着して利用するレバーロッド押さえ具に関するものとする。
第２に、先端付近にレバーロッド貫通孔が穿設された押さえプレートと、該押さえプレートを装着固定する扉の空部の幅より短い長さの受け具とに分割する。第３に、押さえプレートには、受け具先端開口幅より細い本体部分と、反対側端部に受け具先端開口幅より広い飛び出し防止幅広部を形成すると共に本体部分にレバーロッド貫通孔とプレート装着部を形成する。
第３に、受け具には、扉取付面側が幅広で、レーバーロッド側が幅狭く形成された基面に押さえプレート装着部と、該基面を覆うように中央切欠の左右脱落防止片を形成し、該中央切欠を押さえプレートの差し入れ可能な大きさする。
【０００６】
第２の発明は、第１の発明を具体的にしたもので、押さえプレートの受け具への装着固定が、受け具に形成された穴と、押さえプレートに形成された複数の穴の内の何れか一つの穴とをビス止めしたものである分割式レバーロッド押さえ具である。
【０００７】
【発明の実施の形態】
以下、図面に従って、実施例と共に本発明の実施の形態について説明する。本発明は、内面側に空部を有する扉１の内面側に装着して利用するレバーロッド押さえ具７を、押さえプレート１０と受け具２０に分割したもので、図１は、本実施例に係るレバーロッド押さえ具７の分解図で、（Ａ）が、押さえプレート１０を示し、（Ｂ）が受け具２０を示す。
【０００８】
押さえプレート１０は、受け具２０の先端開口幅より細い本体部分１１と、反対側端部に受け具２０先端開口幅より広い飛び出し防止幅広部１２とを形成した板状体である。実施例での本体部分１１は、長さ３２ｍｍ（飛び出し防止幅広部１２を含めた長さ）、幅２０ｍｍ（飛び出し防止幅広部１２を除いた幅）に形成されている。本体部分１１の長さは、扉１の厚みに応じて決定され、本実施例は扉１の厚みが通常のもので３０ｍｍ及び４０ｍｍのものを予定している。又、飛び出し防止幅広部１２の幅は、２３ｍｍとされている。
【０００９】
本体部分１１の先端付近にレバーロッド貫通孔１３とプレート装着部となるタップ穴１４が穿設されている。レバーロッド貫通孔１３は、直径１０ｍｍの穴である。これは通常レバーロッド４が直径９ｍｍの丸棒を利用しているからである。従って、レバーロッド４の径が異なる場合、それに合わせた径となる。尚、押さえプレート１０に穿設されたタップ穴１４の径は４ｍｍタップである。
【００１０】
受け具２０は、押さえプレート１０を装着固定する扉１の空部の幅より短い長さに形成されている。本実施例は扉１の厚みが３０ｍｍ及び４０ｍｍのものを想定しているので、薄い３０ｍｍ厚さの扉１に対応できるよう２５ｍｍの長さに形成されている。
【００１１】
受け具２０の扉１への取付面側が幅広（実施例で３３ｍｍ）で、レーバーロッド４側が幅狭く形成された基面２１に押さえプレート装着部となる２個の丸穴２４、２５と、該基面２１を覆うように中央切欠を設けたの左右脱落防止片２６を形成してある。脱落防止片２６は、基面２１の両側を立ち上げ、且つ、内側に曲折して形成している。
【００１２】
尚、中央切欠は、押さえプレート１０の差し入れ可能な幅の長さで切欠されている。実施例での中央切欠の幅は、１８ｍｍである。この間隔は、押さえプレート１０の本体部分１１の幅が２０ｍｍ、幅広部１２が２３ｍｍに形成した場合、本体部分１１は作業者の手により斜めにすれば、中央切欠の間を通すことができるが、通常の水平状態では外れない間隔であり幅広部１２は、斜めにしても外れないものとなる。
【００１３】
本実施例にかかるレバーロッド押さえ具を利用するには、受け具２０を、扉１の内面に溶着した状態で、塗装作業等を行う。組み立て作業に際して、受け具２０の中央切欠に、押さえプレート１０の差し入れ、押さえプレート１０に形成されたタップ穴１４と、受け具２０に形成された複数の丸穴２４，２５の何れか一つの丸穴とをビス止めして装着固定する。
【００１４】
実施例では、扉１の幅が４０ｍｍのものを予定しているので、図５に示すように押さえプレート１０のタップ穴１４を受け具２０の丸穴２４とを利用している。尚、図５では、装着固定用のビスの図示は、図を見やすくするため省略している。
【００１５】
尚、本実施例では、組み立てまで押さえプレート１０は、受け具２０と分離したままの状態であったが、扉１の種類によっては、押さえプレート１０の長さを扉１の長さより短くすることができれば、図４のように押さえプレート１０を受け具２０に係止めした状態で作業することもできる。
【００１６】
【発明の効果】
本発明は、レバーロッド押さえ具を、先端付近にレバーロッド貫通孔が穿設された押さえプレートと、該押さえプレートを装着固定する扉の空部の幅より短い長さの受け具とに分割したものであるので、組み立て以前の板金製作時や塗装加工時には、受け具のみを装着しておけば、扉の空部幅より小さく、扉内面の空部に収まるので、他の扉に当たることもなく、扉を重ねた状態にしておくことができる。
【００１７】
受け具の中央切欠を、押さえプレートの差し入れ可能な大きさとしたものであるので、扉の組み立て時に、押さえプレートを差し入れて利用できるので、押さえプレートの長さが、扉内側の空部を上回る長さを有していても、組み立て以前の板金製作時や塗装加工時には、受け部のみが扉内面の空部に収まり、他の扉に当たることもなく、扉を重ねた状態にしておくことができる。
【００１８】
押さえプレートには、受け具先端開口幅より細い本体部分と、反対側端部に受け具先端開口幅より広い飛び出し防止幅広部を形成すると共に本体部分にレバーロッド貫通孔とプレート装着部を形成し、他方、受け具には、扉取付面側が幅広で、レーバーロッド側が幅狭く形成された基面に押さえプレート装着部と、該基面を覆うように中央切欠の左右脱落防止片を形成してあるので、押さえプレートがプレート装着部より外れてしまった場合にも、押さえプレートは受け具から飛び出さず、レバーロッドが箱体本体内に倒れてしまう危険を防止できる。
尚、実施例では扉１の内側に受け具２０を取り付けた後、押さえプレート１０を約２５度ほど傾けることにより、受け具２０に押さえプレート１０を装着することが可能であるが、完成時にはレバーロッド４が押さえプレート１０の貫通孔１３を貫通していることにより押さえプレート１０は、約１５度ほどしか傾くことができず、受け具１０の装着位置から飛び出すことはない。
【００１９】
請求項２記載の発明の効果ではあるが、押さえプレートの装着が受け具に形成された穴と、押さえプレートに形成された複数の穴の何れか一つの穴とをビス止めしたものであるので、同じ分割式レバーロッド押さえ具で、異なる厚み（扉の内側空部の幅）の扉に対応可能な分割式レバーロッド押さえ具となった。
【図面の簡単な説明】
【図１】本実施例に係るレバーロッド押さえ具の分解図で、（Ａ）が、押さえプレートを示し、（Ｂ）が受け具を示す。
【図２】押さえプレートと受け具の組状態を示す説明図
【図３】受け具と扉内側空部との関係を示す断面説明図
【図４】多実施例の押さえプレートの退避状態を示す断面説明図
【図５】使用状態を示す断面説明図
【図６】本発明が利用される箱本体を示す概略図で、（Ａ）は断面概略図で（Ｂ）は扉の内面図である。
【符号の説明】
１．．．．．．扉
２．．．．．．ハンドル
３．．．．．．レバー
４．．．．．．レバーロッド
５．．．．．．箱本体
６．．．．．．ロック部
７．．．．．．押さえ具
１０．．．．．押さえプレート
１１．．．．．本体部分
１２．．．．．幅広部
１３．．．．．レバーロッド貫通孔
１４．．．．．タップ穴
２４，２５．．丸穴
２０．．．．．受け具
２１．．．．．基面
２６．．．．．脱落防止片
【図１】
0003689811.tif 000002
【図２】
0003689811.tif 000003
【図３】
0003689811.tif 000004
【図４】
0003689811.tif 000005
【図５】
0003689811.tif 000006
【図６】
0003689811.tif 000007